(57)【要約】  本発明は、圧縮機及び冷却装置を提供する。圧縮機（１）は、接続アセンブリと、接続アセンブリの一端に接続されるＡＣドライブ（１０）とを含む冷却装置に用いられ、圧縮機は、第１のケースと、第１のケース内に設けられ且つ接続アセンブリの他端に接続される永久磁石モータ（２０）と、を含み、永久磁石モータの臨界回転数はｎ０であり、永久磁石モータの極数はＰであり、永久磁石モータの巻線がスター接続されている場合、ＡＣドライブの母線電圧はＵｄｃであり、永久磁石モータの無負荷逆起電力係数はＥ０であり、永久磁石モータのプリセット回転数がｎ１である場合、永久磁石モータの直軸インダクタンスはＬｄであり、ＡＣドライブの出力電流はＩ１であり、Ｅ０、Ｐ、Ｉ１、Ｌｄ、ｎ１及びＵｄｃの関係は、（Ｅ０−Ｐ×Ｉ１×Ｌｄ）×ｎ１≧０．６Ｕｄｃ（ここで、ｎ１＜ｎ０、且つ、ｎ０−ｎ１≦１ｒ／ｓ）を満たし、永久磁石モータの巻線がスター接続されている場合、永久磁石モータの回転数はｎ０より小さい。
2021503270.tif 000002
【特許請求の範囲】
【請求項１】
接続アセンブリと、前記接続アセンブリの一端に接続されるＡＣドライブとを含む冷却装置に用いられる圧縮機において、
第１のケースと、
前記第１のケース内に設けられ且つ前記接続アセンブリの他端に接続される永久磁石モータと、を含み、
前記永久磁石モータの臨界回転数はｎ０であり、
前記永久磁石モータの極数はＰであり、
前記永久磁石モータの巻線がスター接続されている場合、
前記ＡＣドライブの母線電圧はＵｄｃであり、
前記永久磁石モータの無負荷逆起電力係数はＥ０であり、
前記永久磁石モータのプリセット回転数がｎ１である場合、前記永久磁石モータの直軸インダクタンスはＬｄであり、前記ＡＣドライブの出力電流はＩ１であり、
前記Ｅ０、前記Ｐ、前記Ｉ１、前記Ｌｄ、前記ｎ１及び前記Ｕｄｃの関係は、（Ｅ０−Ｐ×Ｉ１×Ｌｄ）×ｎ１≧０．６Ｕｄｃ（ここで、ｎ１＜ｎ０、且つ、ｎ０−ｎ１≦１ｒ／ｓ）を満たし、
前記永久磁石モータの巻線がスター接続されている場合、前記永久磁石モータの回転数は前記ｎ０より小さいことを特徴とする圧縮機。
【請求項２】
前記ｎ０の値の範囲は、ｎ０≧４０ｒ／ｓであることを特徴とする請求項１に記載の圧縮機。
【請求項３】
前記永久磁石モータは、３相永久磁石モータであることを特徴とする請求項１に記載の圧縮機。
【請求項４】
前記永久磁石モータは、
ステータコア及び前記ステータコアに巻回される前記巻線を備えるステータと、
前記ステータの収容室に配置され、ロータコア及び前記ロータコアに配置される永久磁石を備えるロータと、を含むことを特徴とする請求項１から請求項３のいずれか一項に記載の圧縮機。
【請求項５】
前記ステータの巻線は、３相のステータの巻線であり、各相の前記ステータの巻線はヘッド継手及びテール継手を含み、全ての前記ヘッド継手が前記圧縮機の一方の結線端子に接続され、全ての前記テール継手が前記圧縮機の他方の結線端子に接続されることを特徴とする請求項４に記載の圧縮機。
【請求項６】
第２のケースと、
前記第２のケース内に設けられるＡＣドライブと、
請求項１から請求項５のいずれか一項に記載の前記第２のケース内に設けられる圧縮機と、
前記第２のケース内に設けられ、前記ＡＣドライブ及び前記圧縮機にそれぞれ接続される接続アセンブリと、
前記第２のケース内に設けられ、前記接続アセンブリ、前記ＡＣドライブ及び前記圧縮機に接続され、前記Ｅ０、前記Ｐ、前記Ｉ１、前記Ｌｄ、前記ｎ１、及び前記Ｕｄｃの関係が（Ｅ０−Ｐ×Ｉ１×Ｌｄ）×ｎ１≧０．６Ｕｄｃを満たすように、前記ＡＣドライブと前記圧縮機を制御するコントローラと、を含むことを特徴とする冷却装置。
【請求項７】
前記ＡＣドライブの入力電流が交流電力である場合、
前記ＡＣドライブは、
整流器と、
前記整流器に接続されるインバータと、を含むことを特徴とする請求項６に記載の冷却装置。
【請求項８】
前記ＡＣドライブの入力電流が直流電力である場合、
前記ＡＣドライブはインバータを含むことを特徴とする請求項６に記載の冷却装置。
【請求項９】
前記接続アセンブリは、
前記永久磁石モータの巻線のスター接続とデルタ接続との切り替えを実現する切り替えスイッチを含むことを特徴とする請求項６から請求項８のいずれか一項に記載の冷却装置。
【請求項１０】
前記第２のケース内に設けられ、前記コントローラ及び前記圧縮機に接続される検出装置をさらに含むことを特徴とする請求項６から請求項８のいずれか一項に記載の冷却装置。
【発明の詳細な説明】
【技術分野】
【０００１】
本願は、２０１８年０４月０８日に中国特許庁に提出された、出願番号が「２０１８１０３０８１０８．５」であり、発明の名称が「圧縮機及び冷却装置」である中国発明出願と、２０１８年０１月０３日に中国特許庁に提出された、出願番号が「２０１８１０００５３７５．５」であり、発明の名称が「圧縮機及び冷却装置」である中国発明出願と、２０１８年０４月０８日に中国特許庁に提出された、出願番号が「２０１８２０４８７７５１．４」であり、発明の名称が「圧縮機及び冷却装置」である中国実用新案出願と、２０１８年０１月０３日に中国特許庁に提出された、出願番号が「２０１８２０００７４７３．８」であり、発明の名称が「圧縮機及び冷却装置」である中国実用新案出願との優先権を主張し、その内容の全てを援用することにより本願に取り入れる。
【０００２】
本発明は、圧縮機の製造技術の分野に関し、具体的には、圧縮機及び冷却装置に関する。
【背景技術】
【０００３】
圧縮機は冷却装置の重要で中核をなす部材であり、関連技術では、圧縮機のモータが低速で作動する場合に圧縮機のステータの巻線がスター接続され、圧縮機のモータが高速で作動する場合に圧縮機のステータの巻線がデルタ接続されるという巻線切り替え方法が提案されている。しかしながら、関連技術では、圧縮機のモータに関するパラメータ設計方法に関するものがなく、モータ設計方法が適切でないと、モータの総合効率が低く、速度拡張範囲が小さく、ユーザ体験が悪くなる。
【発明の概要】
【発明が解決しようとする課題】
【０００４】
本発明は、先行技術又は関連技術に存在する技術的問題の少なくとも１つを解決することを目的とする。
【課題を解決するための手段】
【０００５】
そのため、本発明の第１の態様は圧縮機を提供する。
【０００６】
本発明の第２の態様は冷却装置を提供する。
【０００７】
これに鑑みて、本発明の第１の態様は、接続アセンブリと、接続アセンブリの一端に接続されるＡＣドライブとを含む冷却装置に用いられる圧縮機を提供し、圧縮機は、第１のケースと、第１のケース内に設けられ且つ接続アセンブリの他端に接続される永久磁石モータと、を含み、永久磁石モータの臨界回転数はｎ０であり、永久磁石モータの極数はＰであり、永久磁石モータの巻線がスター接続されている場合、ＡＣドライブの母線電圧はＵｄｃであり、永久磁石モータの無負荷逆起電力係数はＥ０であり、永久磁石モータのプリセット回転数がｎ１である場合、永久磁石モータの直軸インダクタンスはＬｄであり、ＡＣドライブの出力電流はＩ１であり、Ｅ０、Ｐ、Ｉ１、Ｌｄ、ｎ１及びＵｄｃの関係は、（Ｅ０−Ｐ×Ｉ１×Ｌｄ）×ｎ１≧０．６Ｕｄｃ（ここで、ｎ１＜ｎ０、且つ、ｎ０−ｎ１≦１ｒ／ｓ）を満たし、永久磁石モータの巻線がスター接続されている場合、永久磁石モータの回転数はｎ０より小さい。
【０００８】
本発明が提供する圧縮機の永久磁石モータの臨界回転数はｎ０であり、永久磁石モータの巻線がスター接続されている場合、永久磁石モータの回転数はｎ０より小さく、永久磁石モータの巻線がデルタ接続されている場合、永久磁石モータの回転数はｎ０より大きい。永久磁石モータの巻線がデルタ接続されている上で、Ｅ０、Ｐ、Ｉ１、Ｌｄ、ｎ１及びＵｄｃの関係を（Ｅ０−Ｐ×Ｉ１×Ｌｄ）×ｎ１≧０．６Ｕｄｃを満たすように適切に設定することにより、永久磁石モータは、低速回転時・高速回転時に同様に高効率の性能を有し、製品が全帯域で高い性能を有するという目的を実現する。さらに、回転数ｎ１＜ｎ０、且つｎ０−ｎ１≦１ｒ／ｓとなるように、プリセット回転数ｎ１を適切に設定することにより、臨界回転数ｎ０に近い回転数ｎ１では、巻線のスター接続モードでの永久磁石モータは、一定の弱め磁束角を有し、回転数の増加に伴って永久磁石モータの性能が低下し、永久磁石モータの回転数が臨界回転数ｎ０より大きく、且つ臨界回転数ｎ０に非常に近い時、巻線のデルタ接続モードでの永久磁石モータは弱め磁束を呈し、回転数の増加に伴って永久磁石モータの性能が上昇して臨界回転数ｎ０付近でスター接続されている時に一定の弱め磁束深さを有し、デルタ接続されている時に磁界を弱めることなく永久磁石モータの回転数が増加する特定の範囲を有することを確保し、永久磁石モータの巻線の接続方式を切り替えると、切り替えがスムーズになり、衝撃を大幅に減らし、移行をより安定化させ、製品の動作エネルギー効率を向上させ、製品の使用性及び市場競争力を向上させる。
【０００９】
本発明に係る上記の圧縮機は、以下の付加的な技術的特徴をさらに有してもよい。
【００１０】
上記技術的手段において、ｎ０の値の範囲は、ｎ０≧４０ｒ／ｓであることが好ましい。
【００１１】
当該技術的手段では、臨界回転数ｎ０の値をｎ０≧４０ｒ／ｓの範囲に適切に設定することにより、永久磁石モータの回転数が臨界回転数ｎ０内にある時、巻線をスター接続とした永久磁石モータの効率が低下モードにあり、且つ、巻線をデルタ接続とした永久磁石モータの効率が上昇モードにあるので、製品が全帯域で高い性能を有することを確保しつつ、永久磁石モータの巻線の接続方式を上記領域内で切り替えると、切り替えがスムーズになり、衝撃を大幅に減らし、移行をより安定化させ、製品の動作エネルギー効率を向上させ、製品の使用性及び市場競争力を向上させる。
【００１２】
上記いずれの技術的手段においても、永久磁石モータは、３相永久磁石モータであることが好ましい。
【００１３】
当該技術的手段において、永久磁石モータは、３相永久磁石モータに限定されず、ほかの多相永久磁石モータであってもよい。
【００１４】
上記いずれの技術的手段においても、好ましくは、永久磁石モータは、ステータコア及びステータコアに巻回される巻線を備えるステータと、ステータの収容室に配置され、ロータコア及びロータコアに配置される永久磁石を備えるロータと、を含む。
【００１５】
当該実施例では、ステータは、ステータコアと巻線を含み、巻線をステータコアに巻回することにより、圧縮機の作動時にステータは静止し、巻線に電流が流れるとステータは磁界を発生する。ロータは、ロータコアと、磁極が変化しない永久磁石と、を含み、永久磁石をロータコアに配置することにより、圧縮機の作動時にロータがステータの収容室に配置され、ステータが回転磁界を発生し、回転磁界中でロータが磁力線によって切断されて出力電流が発生し、圧縮機の作動に動力を与える。
【００１６】
上記いずれの技術的手段においても、ステータの巻線は、３相のステータの巻線であり、各相のステータの巻線はヘッド継手及びテール継手を含み、全てのヘッド継手が圧縮機の一方の結線端子に接続され、全てのテール継手が圧縮機の他方の結線端子に接続されることが好ましい。
【００１７】
当該実施例では、各相のステータの巻線はヘッド継手及びテール継手を含み、３相のステータの巻線の全てのヘッド継手と圧縮機の一方の結線端子とを接続し、３相のステータの巻線の全てのテール継手と圧縮機の他方の結線端子とを接続し、接続アセンブリを圧縮機の２つの結線端子にそれぞれ接続することにより、スター接続やデルタ接続などの巻線の異なる接続方式を接続アセンブリの異なる動作で実現することができる。
【００１８】
上記いずれの技術的手段においても、永久磁石は希土類永久磁石であり、あるいは永久磁石はフェライト永久磁石であることが好ましい。
【００１９】
上記いずれの技術的手段においても、ロータコアは、少なくとも１つのスロットを含み、全てのスロットは、ロータコアの周方向に間隔をあけて配置され、スロット内に永久磁石が配置されることが好ましい。
【００２０】
当該技術的手段では、ロータの永久磁石の配置スキームが特に規定される。ロータコアにスロットを形成することにより、永久磁石の取り付け位置を確保することができ、永久磁石の位置決めと組み立てが容易となる。また、該構成は加工工程が少なく、加工方法が簡単で、生産コストが低く、量産に適している。
【００２１】
上記いずれの技術的手段においても、好ましくは、永久磁石は、円筒形状であり、永久磁石は、ロータコアの外壁に外嵌される。
【００２２】
当該技術的手段では、ロータの永久磁石の配置スキームが特に規定される。ロータコアの外壁に永久磁石を外嵌することにより、ロータコアが支えとなり、永久磁石の位置決めと組み立てが容易となる。また、該構成は加工工程が少なく、加工方法が簡単で、生産コストが低く、量産に適している。
【００２３】
本発明の第２の態様が提供する冷却装置は、第２のケースと、第２のケース内に設けられるＡＣドライブと、第１の態様のいずれの技術的手段に記載の第２のケース内に設けられる圧縮機と、第２のケース内に設けられ、ＡＣドライブ及び圧縮機にそれぞれ接続される接続アセンブリと、第２のケース内に設けられ、接続アセンブリ、ＡＣドライブ及び圧縮機に接続され、Ｅ０、Ｐ、Ｉ１、Ｌｄ、ｎ１、及びＵｄｃの関係が（Ｅ０−Ｐ×Ｉ１×Ｌｄ）×ｎ１≧０．６Ｕｄｃを満たすように、ＡＣドライブと圧縮機を制御するコントローラと、を含む。
【００２４】
本発明に係る冷却装置は、第２のケースと、ＡＣドライブと、圧縮機と、接続アセンブリと、コントローラとを含む。コントローラを設定することにより、永久磁石モータの巻線はスター接続され、コントローラは、Ｅ０、Ｐ、Ｉ１、Ｌｄ、ｎ１、及びＵｄｃの関係が（Ｅ０−Ｐ×Ｉ１×Ｌｄ）×ｎ１≧０．６Ｕｄｃを満たすようにＡＣドライブと圧縮機を制御することで、永久磁石モータの回転数が臨界回転数に極めて近いとき、巻線をスター接続とした永久磁石モータが一定の弱め磁束深さを有し、巻線をデルタ接続とした永久磁石モータが当該弱め磁束領域内に入らないようにして、製品が全帯域で高い性能を有することを確保し、永久磁石モータの巻線の接続方式の切り替えに停滞がなく、よりスムーズな切り替え、移行の滑らかさを確保する。
【００２５】
上記技術的手段において、ＡＣドライブの入力電流が交流電力である場合、ＡＣドライブは、整流器と、整流器に接続されるインバータとを含むことが好ましい。
【００２６】
当該技術的手段では、ＡＣドライブの入力電流の特性に応じてＡＣドライブの構成が決定され、ＡＣドライブの入力電流が交流電力である場合には、ＡＣドライブは、整流器とインバータとを含み、ＡＣドライブの入力電流が整流器によってフィルタリングされた後、交流電力が直流電力に変換し、直流電力がインバータに供給される。
【００２７】
上記いずれの技術的手段においても、ＡＣドライブの入力電流が直流電力である場合、ＡＣドライブはインバータを含むことが好ましい。
【００２８】
当該技術的手段では、ＡＣドライブの入力電流の特性に応じてＡＣドライブの構成が決定され、ＡＣドライブの入力電流が直流電力である場合には、ＡＣドライブはインバータを含み、インバータにより直流電力を交流電力に変換する。
【００２９】
上記いずれの技術的手段においても、接続アセンブリは、永久磁石モータの巻線のスター接続とデルタ接続との切り替えを実現する切り替えスイッチを含むことが好ましい。
【００３０】
当該技術的手段では、切り替えスイッチを設け、切り替えスイッチのオン又はオフにより永久磁石モータの巻線とＡＣドライブとの接続状態を実現し、ひいては永久磁石モータの巻線のスター接続及び永久磁石モータの巻線のデルタ接続を実現する。また、該構成は加工、取り付け、及びその後の取り外し、交換が容易であり、交換性が高い。
【００３１】
上記いずれの技術的手段においても、冷却装置は、第２のケース内に設けられ、コントローラ及び圧縮機に接続される検出装置をさらに含むことが好ましい。
【００３２】
当該技術的手段では、第２のケース内に検出装置を設け、検出装置により永久磁石モータの回転数をリアルタイムで検出し、永久磁石モータの回転数がプリセット回転数ｎ１に達したか否かをコントローラが判断することにリアルタイムのデータを提供し、コントローラが他の構成要素の動作を正確且つ適時に制御しやすく、製品の使用に対する信頼性及び精度を確保する。
【００３３】
本発明の付加的な態様及び利点は、次の説明によって明らかになり、又は本発明を実施することで理解される。
【００３４】
本発明に係る上記の及び／又は附加的な態様及び利点は、下記の図面と結び付けて実施例を説明する過程で明らかで理解しやすいものになる。
【図面の簡単な説明】
【００３５】
【図１】本発明の一実施例に係るＡＣドライブ、永久磁石モータ及び切り替えスイッチの構造を概略的に示す図である。
【図２】本発明の第１の実施例に係る永久磁石モータの外部結線の構造を概略的に示す図である。
【図３】本発明の第１の実施例に係る永久磁石モータの巻線の構造を概略的に示す図である。
【図４】本発明の第２の実施例に係る永久磁石モータの外部結線の構造を概略的に示す図である。
【図５】本発明の第２の実施例に係る永久磁石モータの巻線の構造を概略的に示す図である。
【図６】本発明の一実施例に係る永久磁石モータの断面図である。
【図７】本発明の一実施例に係る圧縮機の断面図である。
【発明を実施するための形態】
【００３６】
本発明の上記の目的、特徴及び利点の理解を深めるために、次に、図面及び具体的な実施形態と結び付けて本発明をより詳細に説明する。なお、矛盾が生じない限り、本願の実施例及び実施例に係る特徴は互いに組み合わせることができる。
【００３７】
下記の説明において本発明の充分な理解のために多くの具体的且つ詳細な内容を記載しているが、本発明はここで説明されているものと違う形態によって実施されてもよく、本発明の保護範囲は以下に記載の具体的な実施例に限定されない。
【００３８】
以下、図１〜図７を参照して、本発明のいくつかの実施例に係る圧縮機１及び冷却装置について説明する。
【００３９】
図１〜図３に示すように、本発明の第１の態様の実施例は、接続アセンブリと、接続アセンブリの一端に接続されるＡＣドライブ１０とを含む冷却装置に用いられる圧縮機１を提供し、圧縮機１は、第１のケースと、第１のケース内に設けられ且つ接続アセンブリの他端に接続される永久磁石モータ２０と、を含み、永久磁石モータ２０の臨界回転数はｎ０であり、永久磁石モータ２０の極数はＰであり、永久磁石モータ２０の巻線２０６がスター接続されている場合、ＡＣドライブ１０の母線電圧はＵｄｃであり、永久磁石モータ２０の無負荷逆起電力係数はＥ０であり、永久磁石モータ２０のプリセット回転数がｎ１である場合、永久磁石モータ２０の直軸インダクタンスはＬｄであり、ＡＣドライブ１０の出力電流はＩ１であり、Ｅ０、Ｐ、Ｉ１、Ｌｄ、ｎ１及びＵｄｃの関係は、（Ｅ０−Ｐ×Ｉ１×Ｌｄ）×ｎ１≧０．６Ｕｄｃ（ここで、ｎ１＜ｎ０、且つ、ｎ０−ｎ１≦１ｒ／ｓ）を満たし、永久磁石モータ２０の巻線２０６がスター接続されている場合、永久磁石モータ２０の回転数はｎ０より小さい。
【００４０】
本発明にて提供される圧縮機１の永久磁石モータ２０の臨界回転数はｎ０であり、永久磁石モータ２０の巻線２０６がスター接続されている場合、永久磁石モータ２０の回転数はｎ０より小さく、永久磁石モータ２０の巻線２０６がデルタ接続されている場合、永久磁石モータ２０の回転数はｎ０より大きい。永久磁石モータ２０の巻線２０６がデルタ接続されている上で、Ｅ０、Ｐ、Ｉ１、Ｌｄ、ｎ１及びＵｄｃの関係を（Ｅ０−Ｐ×Ｉ１×Ｌｄ）×ｎ１≧０．６Ｕｄｃを満たすように適切に設定することで、永久磁石モータ２０は、低速回転時・高速回転時に同様に高効率の性能を有し、製品が全帯域で高い性能を有するという目的を実現する。さらに、回転数ｎ１＜ｎ０、且つｎ０−ｎ１≦１ｒ／ｓとなるように、プリセット回転数ｎ１を適切に設定することにより、臨界回転数ｎ０に近い回転数ｎ１では、巻線２０６のスター接続モードでの永久磁石モータ２０は、一定の弱め磁束角を有し、回転数の増加に伴って永久磁石モータ２０の性能が低下し、永久磁石モータ２０の回転数が臨界回転数ｎ０より大きく、且つ臨界回転数ｎ０に非常に近い時、巻線２０６のデルタ接続モードでの永久磁石モータ２０は弱め磁束を呈し、回転数の増加に伴って永久磁石モータ２０の性能が上昇して臨界回転数ｎ０付近でスター接続されている時に一定の弱め磁束深さを有し、デルタ接続されている時に磁界を弱めることなく永久磁石モータ２０の回転数が増加する特定の範囲を有することを確保し、永久磁石モータ２０の巻線２０６の接続方式を切り替えると、切り替えがスムーズになり、衝撃を大幅に減らし、移行をより安定化させ、製品の動作エネルギー効率を向上させ、製品の使用性及び市場競争力を向上させる。具体的には、臨界回転数ｎ０の単位はｒｐｓであり、母線電圧Ｕｄｃの単位はＶであり、無負荷逆起電力係数Ｅ０の単位はＶ／ｒｐｓであり、プリセット回転数ｎ１の単位はｒｐｓであり、直軸インダクタンスＬｄの単位はＨであり、出力電流Ｉ１の単位はＡである。
【００４１】
具体的な実施例では、図１に示すように、切り替えスイッチ４０は６つを有し、それぞれはＳ１、Ｓ２、Ｓ３、Ｓ４、Ｓ５、及びＳ６である。永久磁石モータ２０は、ＡＣドライブ１０によって電力を供給し、且つ接続アセンブリに６つの切り替えスイッチ４０が設けられている。図２及び図３に示すように、Ｓ１、Ｓ２、及びＳ３がオンになり、Ｓ４、Ｓ５、及びＳ６がオフになると、永久磁石モータ２０の巻線２０６はスター接続される。図４及び図５に示すように、Ｓ１、Ｓ２、及びＳ３がオフになり、Ｓ４、Ｓ５、及びＳ６がオンになると、永久磁石モータ２０の巻線２０６はデルタ接続される。
【００４２】
本発明の一実施例では、ｎ０の値の範囲は、ｎ０≧４０ｒ／ｓであることが好ましい。
【００４３】
当該実施例では、臨界回転数ｎ０の値をｎ０≧４０ｒ／ｓの範囲に適切に設定することにより、永久磁石モータ２０の回転数が臨界回転数ｎ０内にある時、巻線２０６をスター接続とした永久磁石モータ２０の効率が低下モードにあり、且つ、巻線２０６をデルタ接続とした永久磁石モータ２０の効率が上昇モードにあるので、製品が全帯域で高い性能を有することを確保しつつ、永久磁石モータ２０の巻線２０６の接続方式を上記領域内で切り替えると、切り替えがスムーズになり、衝撃を大幅に減らし、移行をより安定化させ、製品の動作エネルギー効率を向上させ、製品の使用性及び市場競争力を向上させる。
【００４４】
本発明の一実施例では、永久磁石モータ２０は、３相永久磁石モータであることが好ましい。
【００４５】
当該実施例では、永久磁石モータ２０は、３相永久磁石モータに限定されず、他の多相永久磁石モータであってもよい。
【００４６】
本発明の一実施例では、図６に示すように、好ましくは、永久磁石モータ２０は、ステータコア２０４及びステータコア２０４に巻回される巻線２０６を備えるステータ２０２と、ステータ２０２の収容室に配置される、ロータコア２１０及びロータコア２１０上に配置される永久磁石２１２を備えるロータ２０８と、を含む。
【００４７】
当該実施例では、ステータ２０２は、ステータコア２０４と巻線２０６を含み、巻線２０６をステータコア２０４に巻回することにより、圧縮機１の作動時にステータ２０２は静止し、巻線２０６に電流が流れるとステータ２０２は磁界を発生する。ロータ２０８は、ロータコア２１０と、磁極が変化しない永久磁石２１２と、を含み、永久磁石２１２をロータコア２１０に配置することにより、圧縮機１の作動時にロータ２０８がステータ２０２の収容室に配置され、ステータ２０２が回転磁界を発生し、回転磁界中でロータ２０８が磁力線によって切断されて出力電流が発生し、圧縮機１の作動に動力を与える。
【００４８】
本発明の一実施例では、ステータ２０２の巻線２０６は、３相のステータの巻線であり、各相のステータ２０２の巻線２０６はヘッド継手２１４及びテール継手２１６を含み、全てのヘッド継手２１４が圧縮機１の一方の結線端子に接続され、全てのテール継手２１６が圧縮機１の他方の結線端子に接続されることが好ましい。
【００４９】
当該実施例では、各相のステータ２０２の巻線２０６はヘッド継手２１４及びテール継手２１６を含み、３相のステータの巻線の全てのヘッド継手２１４と圧縮機１の一方の結線端子とを接続し、３相のステータの巻線の全てのテール継手２１６と圧縮機１の他方の結線端子とを接続し、接続アセンブリを圧縮機１の２つの結線端子にそれぞれ接続することにより、スター接続やデルタ接続などの巻線２０６の異なる接続方式を接続アセンブリの異なる動作で実現することができる。
【００５０】
具体的な実施例では、永久磁石２１２は希土類永久磁石であり、あるいは永久磁石２１２はフェライト永久磁石である。
【００５１】
具体的な実施例では、ロータコア２１０は、少なくとも１つのスロットを含み、全てのスロットは、ロータコア２１０の周方向に間隔をあけて配置され、スロット内に永久磁石２１２が配置される。ロータ２０８の永久磁石２１２の配置スキームが特に規定される。ロータコア２１０にスロットを形成することにより、永久磁石２１２の取り付け位置を確保することができ、永久磁石２１２の位置決めと組み立てが容易となる。また、該構成は加工工程が少なく、加工方法が簡単で、生産コストが低く、量産に適している。
【００５２】
具体的な実施例では、永久磁石２１２は、円筒形状であり、永久磁石２１２は、ロータコア２１０の外壁に外嵌される。ロータ２０８の永久磁石２１２の配置スキームが特に規定される。ロータコア２１０の外壁に永久磁石２１２を外嵌することにより、ロータコア２１０が支えとなり、永久磁石２１２の位置決めと組み立てが容易となる。また、該構成は加工工程が少なく、加工方法が簡単で、生産コストが低く、量産に適している。
【００５３】
具体的な実施例では、図６に示すように、永久磁石モータ２０は、９スロット６極構造である。一例として各相の巻線２０６を直列にとると、各相の巻線２０６はヘッド継手２１４及びテール継手２１６を有し、ヘッド継手２１４及びテール継手２１６はそれぞれリード線に接続される。各相の巻線２０６の継手は、実際の用途に応じて、２ｋ個（ｋ＝１、２…）を有してもよい。
【００５４】
図７に示すように、本発明の第２の態様の実施例は、冷却装置をさらに提供し、当該冷却装置は、第２のケース３０と、第２のケース３０内に設けられるＡＣドライブ１０と、第１の態様のいずれの技術的手段に記載の、第２のケース３０内に設けられる圧縮機１と、第２のケース３０内に設けられ、ＡＣドライブ１０及び圧縮機１にそれぞれ接続される接続アセンブリと、第２のケース３０内に設けられ、接続アセンブリ、ＡＣドライブ１０及び圧縮機１に接続され、Ｅ０、Ｐ、Ｉ１、Ｌｄ、ｎ１、及びＵｄｃの関係が（Ｅ０−Ｐ×Ｉ１×Ｌｄ）×ｎ１≧０．６Ｕｄｃを満たすように、ＡＣドライブ１０と圧縮機１を制御するために用いられるコントローラと、を含む。
【００５５】
本発明に係る冷却装置は、第２のケース３０と、ＡＣドライブ１０と、圧縮機１と、接続アセンブリと、コントローラとを含む。コントローラを設定することにより、永久磁石モータ２０の巻線２０６はスター接続され、コントローラは、Ｅ０、Ｐ、Ｉ１、Ｌｄ、ｎ１、及びＵｄｃの関係が（Ｅ０−Ｐ×Ｉ１×Ｌｄ）×ｎ１≧０．６Ｕｄｃを満たすようにＡＣドライブ１０と圧縮機１を制御することで、永久磁石モータ２０の回転数が臨界回転数に極めて近いとき、巻線２０６をスター接続とした永久磁石モータ２０が一定の弱め磁束深さを有し、巻線２０６をデルタ接続とした永久磁石モータ２０が当該弱め磁束領域内に入らないようにして、製品が全帯域で高い性能を有することを確保し、永久磁石モータ２０の巻線２０６の接続方式の切り替えに停滞がなく、よりスムーズな切り替え、移行の滑らかさを確保する。
【００５６】
本発明の一実施例において、図１に示すように、ＡＣドライブ１０の入力電流が交流電力である場合、ＡＣドライブ１０は、整流器１０２と、整流器１０２に接続されるインバータ１０４とを含むことが好ましい。
【００５７】
当該実施例において、ＡＣドライブ１０の入力電流の特性に応じてＡＣドライブ１０の構成が決定され、ＡＣドライブ１０の入力電流が交流電力である場合には、ＡＣドライブ１０は、整流器１０２とインバータ１０４とを含み、ＡＣドライブ１０の入力電流が整流器１０２によってフィルタリングされた後、交流電力が直流電力に変換し、直流電力がインバータ１０４に供給される。
【００５８】
本発明の一実施例において、ＡＣドライブ１０の入力電流が直流電力である場合、ＡＣドライブ１０はインバータ１０４を含むことが好ましい。
【００５９】
当該実施例において、ＡＣドライブ１０の入力電流の特性に応じてＡＣドライブ１０の構成が決定され、ＡＣドライブ１０の入力電流が直流電力である場合には、ＡＣドライブ１０はインバータ１０４を含み、インバータ１０４により直流電力を交流電力に変換する。
【００６０】
本発明の一実施例において、図１に示すように、接続アセンブリは、永久磁石モータ２０の巻線２０６のスター接続とデルタ接続との切り替えを実現するために用いられる切り替えスイッチ４０を含むことが好ましい。
【００６１】
当該実施例において、切り替えスイッチ４０を設け、切り替えスイッチ４０のオン又はオフにより永久磁石モータ２０の巻線２０６とＡＣドライブ１０との接続状態を実現し、ひいては永久磁石モータ２０の巻線２０６のスター接続及び永久磁石モータ２０の巻線２０６のデルタ接続を実現する。また、該構成は加工、取り付け、及びその後の取り外し、交換が容易であり、交換性が高い。
【００６２】
本発明の一実施例では、冷却装置は、第２のケース３０内に設けられ、コントローラ及び圧縮機１に接続される検出装置をさらに含むことが好ましい。
【００６３】
当該実施例において、第２のケース３０内に検出装置を設け、検出装置により永久磁石モータ２０の回転数をリアルタイムで検出し、永久磁石モータ２０の回転数がプリセット回転数ｎ１に達したか否かをコントローラが判断することにリアルタイムのデータを提供し、コントローラが他の構成要素の動作を正確且つ適時に制御しやすく、製品の使用に対する信頼性及び精度を確保する。
【００６４】
本発明において、用語「複数」は、特に明記しない限り、２つ以上を指す。用語「取り付ける」、「連結」、「接続」、「固定」などの用語は広い意味で理解されるべきである。例えば、「接続」と言っても、固定して接続されていてもよいし、取り外し可能に接続されていてもよいし、又は一体的に接続されていてもよい。「連結」と言っても、直接的に接続されていてもよいし、中間の媒介を介して間接的に接続されていてもよい。当業者にとって、具体的な状況に基づいて本発明における上記の用語の具体的な意味を理解することができる。
【００６５】
本明細書の説明において、「１つの実施例」、「いくつかの実施例」、「具体例」などが含まれている説明は、当該実施例又は例を用いて説明された具体的な特徴、構造、材料又は利点は本発明の少なくとも１つの実施例又は例に含まれていることが意図されるものである。本明細書において、上記の用語に関する例示的な記載は、必ずしも同一の実施例又は例に対して言うものとは限らない。また、説明されている具体的な特徴、構造、材料又は利点は任意の１つ以上の実施例もしくは例において適切な方式で組み合わせることができる。
【００６６】
以上は、本発明の好適な実施例に過ぎず、本発明を限定するものではない。当業者であれば、本発明に様々な修正や変更が可能である。本発明の精神や原則内での全ての修正、置換、改善などは、本発明の保護範囲に含まれる。
【符号の説明】
【００６７】
図１〜図７における各符号と部材名称と間の対応関係は以下のとおりである。
１  圧縮機
１０  ＡＣドライブ
１０２  整流器
１０４  インバータ
２０  永久磁石モータ
２０２  ステータ
２０４  ステータコア
２０６  巻線
２０８  ロータ
２１０  ロータコア
２１２  永久磁石
２１４  ヘッド継手
２１６  テール継手
３０  第２のケース
４０  切り替えスイッチ
【図１】
2021503270.tif 000003
【図２】
2021503270.tif 000004
【図３】
2021503270.tif 000005
【図４】
2021503270.tif 000006
【図５】
2021503270.tif 000007
【図６】
2021503270.tif 000008
【図７】
2021503270.tif 000009
【国際調査報告】
2021503270.tif 000010
2021503270.tif 000011
2021503270.tif 000012
2021503270.tif 000013